(57)【特許請求の範囲】
【請求項１】
両鋏片を回動中心部で互いに交叉させてその回動中心部よりも先端側で両鋏片に刃部を設けるとともにその回動中心部よりも基端側で両鋏片に柄部を設けた鋏において、
この両柄部にそれぞれ設けた合成樹脂製の把持部は、両刃部から延設された連結板に一体的に取着された支持部と、この支持部に一体的に取着された指掛環とを有し、この指掛環はこの支持部よりも軟質の合成樹脂からなり、
この両把持部の指掛環は、相対向して支持部に一体的に取着された内側枠部と、この内側枠部に対し指掛孔を介して対向して支持部と離れた外側枠部と、この内側枠部の下側とこの外側枠部の下側との間の下側枠部と、この内側枠部の上側とこの外側枠部の上側との間でこの下側枠部に対し指掛孔を介して対向する上側枠部とから環状をなし、
この指掛環には、内側枠部と外側枠部と下側枠部と上側枠部とにわたり、指掛孔を形取る環状の内周面と、この内周面の外側で延びる環状の外周面と、その内周面と外周面との間で環状に延びる両側面とを設け、この両指掛環の上側枠部の外周面は、指掛環の内側枠部の外周面から連続する外周面と、指掛環の外側枠部の外周面から連続する外周面とを有し、
この両指掛環のうち少なくとも一方の指掛環で、外側枠部の外周面から連続する上側枠部の外周面に設けた柔軟部は、内側の底部から外側へ向って延びるように立設されて指掛環の環状方向に沿って並設されるとともに指掛環の両側面間を結ぶ方向へ延びる弾性突起としてのひれ板を複数有し、この各ひれ板間には撓み許容空間としての溝を設け、この各ひれ板の外端部と、この各ひれ板の外端部間で露出する溝の開口とにより指当面を有する指当部を設け、
この上側枠部の指当部を指当部の外周部を含む両側域とこの両側域間の中間域とに区分した場合、この上側枠部の指当部に与えられる指当て力により各ひれ板を撓ませた際に上側枠部の指当部に生じる撓みを両側域よりも中間域で大きくするために、溝の底部から立設された各ひれ板で底部から外端部までの高さについては前記両側域よりも中間域で大きくし、上側枠部の指当部の外周部の両側部を通る想定面よりも内側に凹んでいる指当面でこの想定面に対する指当面の深さについては前記両側域よりも中間域で大きくし、
また、前記上側枠部の柔軟部を有する一方の指掛環で下側枠部の両側面にもそれぞれ前記上側枠部の柔軟部に対し離間された柔軟部を設け、この下側枠部の柔軟部には、内側の底部から外側へ向って延びるように立設されて指掛環の環状方向に沿って並設されるとともに指掛環の内周面と外周面とを結ぶ方向へ延びる弾性突起としてのひれ板を複数有し、この各ひれ板間には撓み許容空間としての溝を設け、この各ひれ板の外端部と、この各ひれ板の外端部間で露出する溝の開口とにより指当面を有する指当部を設け、
この下側枠部の指当部を指当部の外周部を含む両側域とこの両側域間の中間域とに区分した場合、この下側枠部の指当部に与えられる指当て力により各ひれ板を撓ませた際に下側枠部の指当部に生じる撓みを両側域よりも中間域で大きくするために、溝の底部から立設された各ひれ板で底部から外端部までの高さについては前記両側域よりも中間域で大きくし、下側枠部の指当部の指当面で各ひれ板の外端部が指掛環の内周面と外周面とを結ぶ方向の中央部で最も高くなるように外側へ凸状に湾曲している
ことを特徴とする鋏における指掛部構造。
【発明の詳細な説明】
【技術分野】
【０００１】
本発明は、西洋鋏や握り鋏などの鋏において、その柄部に設けた指掛部の構造に関するものである。
【背景技術】
【０００２】
下記特許文献１に示す西洋鋏の両柄４では、両刀身１，２に取着された内側把持環６がこの内側把持環６よりも軟質の外側把持環８により覆われている。また、下記特許文献２に示す握り鋏の握り柄１において両把持部３は、両刃体２に取着された硬質の内側樹脂部４と、単なる滑り止め凹凸部１０ａを形成した把持面１０を有する軟質の外側樹脂部５とにより成形されている。従って、上記西洋鋏における軟質の外側把持環８や上記握り鋏における軟質の外側樹脂部５に指が触れるため、使用時の感触を柔らかくして使い勝手を良くすることができる。
【特許文献１】実開平４−７７８６９号公報
【特許文献２】特開２００４−１２９８４５号公報
【発明の開示】
【発明が解決しようとする課題】
【０００３】
しかし、使用時に指が触れる前記外側把持環８や前記外側樹脂部５を軟質材により成形する際、この外側把持環８及び外側樹脂部５の弾性度合は軟質材の種類や軟質材の厚みなどに応じて異なり、設計条件が制限されると軟質材の弾性度合を適切なものにすることができないため、使用時の感触を十分に良くすることができない場合もある。
【０００４】
この発明は、各種鋏において使用時の感触をより一層良くして使い勝手を良くすることを目的としている。
【課題を解決するための手段】
【０００５】
後記実施形態の図面（本発明と関係しない図１，２，９に示す第１実施形態、本発明と関係しない図３に示す第２実施形態、本発明にかかる図４，１０に示す第３実施形態、本発明と関係しない図５に示す第４実施形態、本発明と関係しない図６に示す第５実施形態）の符号を援用して本発明を説明する。
【０００８】
請求項１の発明にかかる鋏の指掛部構造は、第３実施形態のみに対応し、下記のように構成されている。
この鋏（１）においては、両鋏片（２，３）を回動中心部（４）で互いに交叉させてその回動中心部（４）よりも先端側で両鋏片（２，３）に刃部（５）を設けるとともにその回動中心部（４）よりも基端側で両鋏片（２，３）に柄部（６）を設けている。
この両柄部（６）にそれぞれ設けた合成樹脂製の把持部（８）は、両刃部（５）から延設された連結板（７ａ）に一体的に取着された支持部（９）と、この支持部（９）に一体的に取着された指掛環（１０）とを有している。この指掛環（１０）はこの支持部（９）よりも軟質の合成樹脂からなる。
この両把持部（８）の指掛環（１０）は、相対向して支持部（９）に一体的に取着された内側枠部（１０ａ）と、この内側枠部（１０ａ）に対し指掛孔（１１）を介して対向して支持部（９）と離れた外側枠部（１０ｂ）と、この内側枠部（１０ａ）の下側とこの外側枠部（１０ｂ）の下側との間の下側枠部（１０ｃ）と、この内側枠部（１０ａ）の上側とこの外側枠部（１０ｂ）の上側との間でこの下側枠部（１０ｃ）に対し指掛孔（１１）を介して対向する上側枠部（１０ｄ）とから環状をなす。この指掛環（１０）には、内側枠部（１０ａ）と外側枠部（１０ｂ）と下側枠部（１０ｃ）と上側枠部（１０ｄ）とにわたり、指掛孔（１１）を形取る環状の内周面（１２）と、この内周面（１２）の外側で延びる環状の外周面（１３）と、その内周面（１２）と外周面（１３）との間で環状に延びる両側面（１４）とを設けている。この両指掛環（１０）の上側枠部（１０ｄ）の外周面（１３）は、指掛環（１０）の内側枠部（１０ａ）の外周面（１３）から連続する外周面（１３ａ）と、指掛環（１０）の外側枠部（１０ｂ）の外周面（１３）から連続する外周面（１３ｂ）とを有している。
この両指掛環（１０）のうち少なくとも一方の指掛環（１０）で、外側枠部（９）の外周面（１３）から連続する上側枠部（１０ｄ）の外周面（１３ｂ）に設けた柔軟部（１５）は、内側の底部（１７）から外側へ向って延びるように立設されて指掛環（１０）の環状方向に沿って並設されるとともに指掛環（１０）の両側面（１４）間を結ぶ方向（Ｙ）へ延びる弾性突起としてのひれ板（１６）を複数有している。この各ひれ板（１６）間には撓み許容空間としての溝（１８）を設けている。この各ひれ板（１６）の外端部（１６ａ）と、この各ひれ板（１６）の外端部（１６ａ）間で露出する溝（１８）の開口（１８ａ）とにより指当面（２１）を有する指当部（１９）を設けている。この溝（１８）については、ひれ板（１６）に沿って延びる方向（Ｙ，Ｚ）の両側で開放しても閉塞してもよい。ちなみに、この溝（１８）はその両側を閉塞した場合、前記開口（１８ａ）のみで開放された凹所になる。例えば、各ひれ板（１６）は、指掛環（１０）の延設方向（Ｘ）すなわち環状方向（Ｘ）に沿って並設され、両側面（１４）間を互いに結ぶ幅方向（Ｙ）または内周面（１２）と外周面（１３）とを互いに結ぶ厚み方向（Ｚ）へ延び、各ひれ板（１６）間の溝（１８）はその幅方向（Ｙ）または厚み方向（Ｚ）の両側と前記開口（１８ａ）とで開放されている。
この上側枠部（１０ｄ）の指当部（１９）を指当部（１９）の外周部（２０）を含む両側域（Ｍ）とこの両側域（Ｍ）間の中間域（Ｎ）とに区分した場合、この上側枠部（１０ｄ）の指当部（１９）に与えられる指当て力により各ひれ板（１６）を撓ませた際に上側枠部（１０ｄ）の指当部（１９）に生じる撓みを両側域（Ｍ）よりも中間域（Ｎ）で大きくするために、溝（１８）の底部（１８ｂ）から立設された各ひれ板（１６）で底部（１７）から外端部（１６ａ）までの高さ（Ｈ）については前記両側域（Ｍ）よりも中間域（Ｎ）で大きくし、上側枠部（１０ｄ）の指当部（１９）の外周部（２０）の両側部（２０ａ）を通る想定面（Ｐ）よりも内側に凹んでいる指当面（２１）でこの想定面（Ｐ）に対する指当面（２１）の深さ（Ｌ）については前記両側域（Ｍ）よりも中間域（Ｎ）で大きくしている。
また、前記上側枠部（１０ｄ）の柔軟部（１５）を有する一方の指掛環（１０）で下側枠部（１０ｃ）の両側面（１４）にもそれぞれ前記上側枠部（１０ｄ）の柔軟部（１５）に対し離間された柔軟部（２２）を設けている。この下側枠部（１０ｃ）の柔軟部（２２）には、内側の底部（１７）から外側へ向って延びるように立設されて指掛環（１０）の環状方向に沿って並設されるとともに指掛環（１０）の内周面（１２）と外周面（１３）とを結ぶ方向（Ｚ）へ延びる弾性突起としてのひれ板（１６）を複数有している。この各ひれ板（１６）間には撓み許容空間としての溝（１８）を設けている。この各ひれ板（１６）の外端部（１６ａ）と、この各ひれ板（１６）の外端部（１６ａ）間で露出する溝（１８）の開口（１８ａ）とにより指当面（２１）を有する指当部（１９）を設けている。
この下側枠部（１０ｃ）の指当部（１９）を指当部（１９）の外周部（２０）を含む両側域（Ｍ）とこの両側域（Ｍ）間の中間域（Ｎ）とに区分した場合、この下側枠部（１０ｃ）の指当部（１９）に与えられる指当て力により各ひれ板（１６）を撓ませた際に下側枠部（１０ｃ）の指当部（１９）に生じる撓みを両側域（Ｍ）よりも中間域（Ｎ）で大きくするために、溝（１８）の底部（１８ｂ）から立設された各ひれ板（１６）で底部（１７）から外端部（１６ａ）までの高さ（Ｈ）については前記両側域（Ｍ）よりも中間域（Ｎ）で大きくしている。下側枠部（１０ｃ）の指当部（１９）の指当面（２１）で各ひれ板（１６）の外端部（１６ａ）が指掛環（１０）の内周面（１２）と外周面（１３）とを結ぶ方向（Ｚ）の中央部で最も高くなるように外側へ凸状に湾曲している。
【０００９】
請求項１の発明にかかる指掛部（１０）では、各ひれ板（１６）により指当部（１９）を撓み易くすることができる。従って、指当部（１９）の材質の種類や指当部（１９）の厚みなどの設計条件が制限されても指当部（１９）の弾性度合を適切なものにすることができる。また、この指当部（１９）に指を当てがった際にその指を安定させることができる。
【００１０】
また、請求項１の発明では、前記溝（１８）により、各ひれ板（１６）を撓み易くすることができる。ただし、各ひれ板（１６）を互いに接触させて各ひれ板（１６）間に設けた単なる切込みも溝（１８）に該当する。
【００１１】
また、請求項１の発明では、各ひれ板（１６）の外端部（１６ａ）からなる指当部（１９）を各ひれ板（１６）を並設した方向（Ｘ）へ撓み易くすることができる。
【００１３】
また、請求項１の発明では、前記指当面（２１）に指を当てがった際にその指を安定させることができる。
【発明の効果】
【００１６】
本発明は、両鋏片（２，３）を回動中心部（４）で互いに交叉させてその回動中心部（４）よりも先端側で両鋏片（２，３）に刃部（５）を設けるとともにその回動中心部（４）よりも基端側で両鋏片（２，３）に柄部（６）を設けた鋏（１）において、使用時の感触をより一層良くして使い勝手を良くすることができる。
【発明を実施するための最良の形態】
【００１７】
まず、本発明と関係しない第１実施形態にかかる鋏の指掛部構造について図１，２，９を参照して説明する。
西洋鋏１においては、両鋏片２，３が回動中心部４で互いに交叉されてその回動中心部４よりも先端側で両鋏片２，３に刃部５が設けられているとともにその回動中心部４よりも基端側で両鋏片２，３に柄部６が設けられている。この両鋏片２，３の刃部５はそれぞれ金属製の刀身７からなる。この両鋏片２，３の柄部６はそれぞれ合成樹脂製の把持部８を備えている。この両把持部８は、両刀身７から延設された連結板７ａに取着された支持部９と、この支持部９に取着された指掛環１０（指掛部）とを有している。この把持部８の支持部９は、回動中心部４を含み、連結板７ａの外周全体を覆う。ちなみに、両刀身７の連結板７ａが成形型（図示せず）内のキャビティにインサートされた状態で、このキャビティに合成樹脂（例えばＰＰやＡＢＳなどのプラスチック）が注入されて、連結板７ａに支持部９が一体的に取着される。さらに、この支持部９が成形型（図示せず）内のキャビティにインサートされた状態で、このキャビティには支持部９よりも軟質の合成樹脂（例えば合成ゴムなどのエラストマー）が注入されて、この支持部９に指掛環１０が一体的に取着される。この指掛環１０内で支持部９には凸部９ａや貫通孔９ｂが形成され、この凸部９ａが指掛環１０にくい込んだりこの貫通孔９ｂに指掛環１０が入り込んだりして支持部９に対する指掛環１０の抜け止め機能を果たす。
【００１８】
前記両把持部８の指掛環１０は、相対向して支持部９に一体的に取着された相対向する内側枠部１０ａと、この内側枠部１０ａに対し指掛孔１１を介して対向して支持部９と離れた外側枠部１０ｂと、この内側枠部１０ａの下側とこの外側枠部１０ｂの下側との間の下側枠部１０ｃと、この内側枠部１０ａの上側とこの外側枠部１０ｂの上側との間でこの下側枠部１０ｃに対し指掛孔１１を介して対向する上側枠部１０ｄとから環状をなす。この指掛環１０には、指掛孔１１を形取る環状の内周面１２と、この内周面１２の外側で延びる環状の外周面１３と、その内周面１２と外周面１３との間で環状に延びる両側面１４とが設けられている。両指掛環１０の上側枠部１０ｄにおいて外周面１３は、前記内側枠部１０ａの外周面１３から連続する外周面１３ａと、前記外側枠部１０ｂの外周面１３から連続する外周面１３ｂとにより逆Ｖ状をなし、その外周面１３ｂに柔軟部１５が形成されている。
【００１９】
前記柔軟部１５においては、複数のひれ板１６（弾性突起）が内側の底部１７から外側へ向って延びるように立設されて指掛環１０の延設方向Ｘすなわち環状方向Ｘに沿って並設されているとともに、その延設方向Ｘに対し直交する幅方向Ｙすなわち両側面１４間を結ぶ方向Ｙへ延び、この各ひれ板１６間に溝１８（撓み許容空間）が形成されている。この溝１８は、各ひれ板１６の外端部１６ａ間の開口１８ａと、幅方向Ｙの両側とでそれぞれ開放されている。この各ひれ板１６の外端部１６ａの集合体が指当部１９となり、この指当部１９にはこの各開口１８ａも含む。この各ひれ板１６の外端部１６ａは、図９（ｄ）または図９（ｅ）に示すように幅方向Ｙの中央部で最も高くなるように外側へ凸状に湾曲している。この指当部１９はその外周部２０で各ひれ板１６の並設方向Ｘにおける両側部２０ａを通る想定面Ｐよりも内側にＵ状に凹む指当面２１を有し、この指当面２１はその外周部２０で外周面１３ｂ及び両側面１４に対し滑らかに連続している。この各ひれ板１６の基端部１６ｂと各溝１８の底面１８ｂとを並設方向Ｘで結ぶ面も、前記指当面２１と同様に内側へＵ状に凹んでいる。この各溝１８の底面１８ｂについては、図９（ｄ）に示すように平坦に形成しても、図９（ｅ）に示すように前記ひれ板１６の外端部１６ａに合わせて外側へ凸状に湾曲していてもよい。各ひれ板１６において、底部１７から外端部１６ａまでの高さＨや、前記想定面Ｐに対する指当面２１の深さＬや、前記幅方向Ｙにおける厚みＷについては、指当部１９をその外周部２０を含む両側域Ｍとこの両側域Ｍ間の中間域Ｎとに区分した場合、両側域Ｍよりも中間域Ｎで大きくなっている。しかも、この高さＨや深さＬについては、前記外周部２０の両側部２０ａからそれらの間の中央部に向うに従い次第に大きくなっている。各ひれ板１６において前記並設方向Ｘにおける厚さＴについては、それぞれ同一になっている。また、各ひれ板１６間の溝１８において前記並設方向Ｘにおける間隔Ｓについてもそれぞれ同一になっており、その間隔Ｓは各ひれ板１６の厚さＴにほぼ等しい。なお、この間隔Ｓと厚さＴとは互いに異なるようにしてもよく、例えば、厚さＴについては並設方向Ｘの中央部ほど小さくすることができる。ちなみに、各ひれ板１６において、前記高さＨや厚さＴや幅Ｗについては、それぞれ、０．５ｍｍ≦Ｈ≦１０ｍｍ、０．２ｍｍ≦Ｔ≦５ｍ、１ｍｍ≦Ｗ≦２０ｍｍに設定することができる。なお、前記把持部８において指掛環１０の柔軟部１５の底部１７は支持部９から少し離間している。
【００２０】
このような西洋鋏１を使用する場合には、例えば、両指掛環１０のうち、一方の指掛環１０の指掛孔１１に中指と薬指と小指とを入れるとともに他方の指掛環１０の指掛孔１１に親指を入れ、人差指を一方の指掛環１０の柔軟部１５で指当部１９の指当面２１に当てがう。この西洋鋏１を開閉動させると、人差指にも力が入るため、その指当て力により各ひれ板１６が各溝１８の範囲で主に並設方向Ｘへ撓む。その際、指当て力の大きさ及び向きに応じて各ひれ板１６の外端部１６ａごとに指当部１９に生じる撓みδの大きさ及び向きが変化し、その撓みδは両側域Ｍよりも中間域Ｎで大きくなり易い。
【００２１】
第１実施形態では両指掛環１０のうちいずれの指掛環１０に親指を入れても親指以外の指を入れてもよいが、本発明と関係しない図３に示す第２実施形態では、両指掛環１０のうち一方の鋏片２の指掛環１０に親指以外の指を入れるとともに他方の鋏片３の指掛環１０に親指を入れ、親指以外の指を入れる一方の指掛環１０にのみ第１実施形態と同様な柔軟部１５が形成されている。
【００２２】
本発明にかかる図４及び図１０（ａ）（ｂ）（ｃ）に示す第３実施形態では、第２実施形態において、両指掛環１０の下側枠部１０ｃの両側面１４にもそれぞれ柔軟部２２が形成されている。この各柔軟部２２の形態は基本的に第１実施形態の柔軟部１５と同様であるが、特に指当面２１において凹みがない点で第１実施形態の柔軟部１５と異なる。また、各ひれ板１６が両指掛環１０の内周面１２と外周面１３とを結ぶ厚み方向Ｚへ延び、溝１８の開口１８ａが厚み方向Ｚの両側で開放され、各ひれ板１６の外端部１６ａが厚み方向Ｚの中央部で最も高くなるように外側へ凸状に湾曲している点でも、第１実施形態の柔軟部１５と異なる。本発明と関係しない図１０（ｄ）（ｅ）に示す第３実施形態の別例では、前記柔軟部２２において、複数のひれ板１６が指掛環１０の厚み方向Ｚに沿って並設されているとともに、指掛環１０の延設方向Ｘすなわち環状方向Ｘへ延び、この各ひれ板１６間に溝１８が形成されている。
【００２３】
本発明と関係しない図５に示す第４実施形態では、第１実施形態において、両指掛環１０のうち一方の鋏片２における指掛環１０の下側枠部１０ｃで内周面１２と外周面１３と両側面１４とにわたる周方向全体に柔軟部２３が形成されている。この柔軟部２３においては、各ひれ板１６とこの各ひれ板１６間の溝１８とが周方向全体へ環状に延設されて指掛環１０の延設方向Ｘへ互いに交互に並設されている。
【００２４】
本発明と関係しない図６に示す第５実施形態では、第２実施形態において、両指掛環１０のうち、親指以外の指を入れる一方の鋏片２の指掛環１０で指掛孔１１の内周面１２の一部（例えば、内側枠部１０ａから下側枠部１０ｃ及び上側枠部１０ｄに至る内周面１２）に柔軟部２４が形成されているとともに下側枠部１０ｃの外周面１３に第１実施形態と同様な柔軟部１５が形成され、親指を入れる他方の鋏片３の指掛環１０で指掛孔１１の内周面１２の全体に柔軟部２５が形成されている。これらの柔軟部２４，２５においては、各ひれ板１６とこの各ひれ板１６間の溝１８とが指掛環１０の延設方向Ｘへ互いに交互に並設されている。
【００２５】
本発明と関係しない図７に示す握り鋏２６においては、両鋏片２，３がそれらの基端側にある回動中心部４で互いに一体連結されてその両鋏片２，３の先端側に刃部５が設けられているとともにその刃部５と回動中心部４との間で両鋏片２，３に柄部６が設けられている。この両柄部６は、回動中心部４からＵ状に延設された支持部２７（硬質樹脂部）と、この支持部２７に対しインサート成形により一体的に取着された指掛部２８（軟質樹脂部）とからなる。この両支持部２７は両刃部５に対しインサート成形により一体的に取着されている。この両指掛部２８の先端側には刃部５の付近で第１実施形態と同様な柔軟部１５が形成されている。この両指掛部２８のうち一方の鋏片２の指掛部２８で基端側には環状部２８ａが形成されている。
【００２６】
本発明と関係しない図８に示す握り鋏２６においては、図７に示す握り鋏２６において、一方の鋏片２の指掛部２８で、環状部２８ａの内周全体に柔軟部２９が形成されているとともに、この環状部２８ａから先端側に延びる凹み部２８ｂに柔軟部３０が形成されている。これらの柔軟部２９，３０においては、各ひれ板１６とこの各ひれ板１６間の溝１８とが互いに交互に並設されている。
【００２７】
前記第３，４，５実施形態では、柔軟部１５以外にも、柔軟部２２，２３，２４，２５が設けられているため、それらの柔軟部２２，２３，２４，２５に対し使用時に指の腹面や背面や両側面が適宜当たって感触を良くする。
【００２９】
図示しないが、西洋鋏１において、前記各柔軟部１５，２２，２３，２４，２５を互いに組み合わせたりして、柔軟部の形態や形成位置を適宜変更してもよい。
【００３０】
なお、前記把持部８において支持部９を硬質樹脂により成形するとともに指掛環１０を軟質樹脂により成形したが、その把持部８の全体を硬質樹脂または軟質樹脂により一体成形してその把持部８に柔軟部１５，２２，２３，２４，２５を形成してもよい。
【図面の簡単な説明】
【００３１】
【図１】（ａ）は本発明と関係しない第１実施形態にかかる西洋鋏の全体を示す正面図であり、（ｂ）はこの西洋鋏の全体を示す背面図であり、（ｃ）はこの西洋鋏の両柄部を示す部分拡大正面図である。
【図２】（ａ）は上記西洋鋏の両柄部を切り欠いて示す部分拡大正面図であり、（ｂ）は図１（ｃ）のＡ−Ａ線断面図であり、（ｃ）は図１（ｃ）のＢ−Ｂ線断面図である。
【図３】（ａ）は本発明と関係しない第２実施形態にかかる西洋鋏の全体を示す正面図であり、（ｂ）はこの西洋鋏の全体を示す背面図であり、（ｃ）はこの西洋鋏の両柄部を示す部分拡大正面図である。
【図４】（ａ）は本発明にかかる第３実施形態にかかる西洋鋏の全体を示す正面図であり、（ｂ）はこの西洋鋏の全体を示す背面図であり、（ｃ）はこの西洋鋏の両柄部を示す部分拡大正面図であり、（ｄ）はこの西洋鋏の両柄部を示す部分拡大底面図である。
【図５】（ａ）は本発明と関係しない第４実施形態にかかる西洋鋏の全体を示す正面図であり、（ｂ）はこの西洋鋏の全体を示す背面図であり、（ｃ）はこの西洋鋏の両柄部を示す部分拡大正面図である。
【図６】（ａ）は本発明と関係しない第５実施形態にかかる西洋鋏の全体を示す正面図であり、（ｂ）はこの西洋鋏の全体を示す背面図であり、（ｃ）はこの西洋鋏の両柄部を示す部分拡大正面図である。
【図７】（ａ）は本発明と関係しない握り鋏の全体を示す正面図であり、（ｂ）はこの握り鋏の全体を示す背面図である。
【図８】（ａ）は本発明と関係しない握り鋏の全体を示す正面図であり、（ｂ）はこの握り鋏の全体を示す背面図である。
【図９】（ａ）は図１（ｃ）の指当部を示す部分拡大正面図であり、（ｂ）はこの指当部を示す図１（ｃ）のＣ矢視図であり、（ｃ）は（ａ）の部分拡大図であり、（ｄ）（ｅ）はそれぞれ（ａ）における幅方向の部分断面図である。
【図１０】（ａ）は図４（ｃ）の指当部を示す部分拡大正面図であり、（ｂ）は図４（ｄ）の指当部を示す部分拡大底面図であり、（ｃ）は（ｂ）の部分拡大図であり、（ｄ）は本発明と関係しない第３実施形態の別例において（ａ）に相当する部分拡大正面図であり、（ｅ）は（ｄ）における厚み方向の部分断面図である。
【符号の説明】
【００３２】
１…西洋鋏、２，３…鋏片、４…回動中心部、５…刃部、６…柄部、７ａ…連結板、８…把持部、９…支持部、１０…指掛環（指掛部）、１０ａ…内側枠部、１０ｂ…外側枠部、１０ｃ…下側枠部、１０ｄ…上側枠部、１１…指掛孔、１２…指掛環の内周面、１３…指掛環の外周面、１４…指掛環の側面、１５，２２…柔軟部、１６…ひれ板（弾性突起）、１６ａ…外端部、１７…底部、１８…溝（撓み許容空間）、１８ａ…開口、１８ｂ…底面（底部）、１９…指当部、２０…外周部、２０ａ…側部、２１…指当面、２６…握り鋏、２８…指掛部、３２…撓み許容空間、３３…指当部、δ…撓み、Ｌ…深さ、Ｈ…高さ、Ｍ…両側域、Ｎ…中間域、Ｐ…想定面、Ｘ…並設方向（延設方向、環状方向）、Ｙ…幅方向、Ｚ…厚み方向。
【図１】
0004898115.tif 000002
【図２】
0004898115.tif 000003
【図３】
0004898115.tif 000004
【図４】
0004898115.tif 000005
【図５】
0004898115.tif 000006
【図６】
0004898115.tif 000007
【図７】
0004898115.tif 000008
【図８】
0004898115.tif 000009
【図９】
0004898115.tif 000010
【図１０】
0004898115.tif 000011